(57)【要約】【課題】液体供給路の端末部と噴射ヘッドとの間で液体が漏れることを防止できる漏液防止機構及び該漏液防止機構を用いた液体噴射装置。【解決手段】液体供給路（直線流路２８）の端末部に設けられる基台部（前面壁８１）を有し、前記基台部には、前記液体供給路の前記端末部を囲繞する第１漏液防止部（小径のＯリング８４）と、第１漏液防止部を囲繞する第２漏液防止部（大径のＯリング８２）とが設けられ、第１漏液防止部及び第２漏液防止部は、液体供給路の下流側に設けられて液体供給路から供給される液体を噴射する噴射ヘッド（散水ヘッド２）に当接可能な構成とした。また、第１漏液防止部及び／又は前記第２漏液防止部は、噴射ヘッドと当接する当接部が面一であり、基台部とは別体で構成した。【選択図】図１
0003115073.tif 000002
【実用新案登録請求の範囲】
【請求項１】
液体供給路の端末部に設けられる基台部を有し、前記基台部には、前記液体供給路の前記端末部を囲繞する第１漏液防止部と、前記第１漏液防止部を囲繞する第２漏液防止部とが設けられ、
前記第１漏液防止部及び前記第２漏液防止部は、前記液体供給路の下流側に設けられて前記液体供給路から供給される液体を噴射する噴射ヘッドに当接可能な構成としたこと
を特徴とする漏液防止機構。
【請求項２】
前記第１漏液防止部及び／又は前記第２漏液防止部は、前記噴射ヘッドと当接する当接部が面一に構成されたことを特徴とする請求項１に記載の漏液防止機構。
【請求項３】
前記基台部は、前記液体供給路を形成する液体供給部材とは別体で構成したことを特徴とする請求項１又は請求項２に記載の漏液防止機構。
【請求項４】
前記第１漏液防止部は、前記液体供給路の前記端末部の外周に密接可能な構成としたことを特徴とする請求項１乃至請求項３のうち、いずれか１に記載の漏液防止機構。
【請求項５】
前記第１漏液防止部及び／又は前記第２漏液防止部は、前記基台部と別体で構成したことを特徴とする請求項１乃至請求項４のうち、いずれか１に記載の漏液防止機構。
【請求項６】
前記第１漏液防止部及び／又は前記第２漏液防止部は、略環状に設けられたことを特徴とする請求項１乃至請求項５のうち、いずれか１に記載の漏液防止機構。
【請求項７】
前記第１漏液防止部及び第２漏液防止部は、柔軟性を有する部材で構成したことを特徴とする請求項１乃至請求項６のうち、いずれか１に記載の漏液防止機構。
【請求項８】
少なくとも、液体供給路と、前記液体供給路の下流側に設けられて前記液体供給路から供給される液体を噴射する噴射ヘッドとを有し、
前記液体供給路と前記噴射ヘッドとの間には、請求項１乃至請求項７のうちいずれか１に記載の漏液防止機構が設けられていることを特徴とする液体噴射装置。
【請求項９】
前記噴射ヘッドは、少なくとも第１の噴射方法及び第２の噴射方法とによって液体を噴射可能な第１噴射口及び第２噴射口を有して前記液体供給路の端末部に回動自在に設けられ、
前記噴射ヘッドの前記漏液防止機構と対向する隔壁部には、前記第１噴射口及び前記第２噴射口に各々連通する第１連通口及び第２連通口が、前記噴射ヘッドの回動軸を中心とする略同一円周上に離隔配置され、
前記噴射ヘッドの前記漏液防止機構に対する回動位置を切り換えることによって、前記液体供給路が前記第１連通口又は第２連通口に選択的に連通され、前記第１の噴射方法と前記第２の噴射方法とを切換可能に構成としたことを特徴とする請求項８に記載の液体噴射装置。
【請求項１０】
前記漏液防止機構の前記第１漏液防止部及び前記第２漏液防止部は、前記噴射ヘッドの前記隔壁部に当接可能な構成としたことを特徴とする請求項９に記載の液体噴射装置。
【請求項１１】
前記漏液防止機構の前記第１漏液防止部は、前記第１連通口の周囲を囲繞可能な大きさに設定されたことを特徴とする請求項９又は請求項１０に記載の液体噴射装置。
【請求項１２】
前記漏液防止機構の前記第２漏液防止部は、前記噴射ヘッドの前記隔壁部の外縁部に当接可能な大きさに設定されたことを特徴とする請求項９乃至請求項１１に記載のうち、いずれか１に記載の液体噴射装置。
【考案の詳細な説明】
【技術分野】
【０００１】
本考案は、漏液防止機構及び該漏液防止機構を用いた液体噴射装置に関するものである。
【背景技術】
【０００２】
庭木に水等をやるために使用する液体噴射装置として、散水ガンが挙げられるが、この種の散水ガンでは、給水管の先端に取り付けた散水ヘッドの回動位置を切り換えることで、散水モード（シャワーモード、ストレート噴射モード、拡散噴射モード等）を自由に切り換えることができるようになっており、給水管の先端とノズル孔の連通部分にＯリングを設けてシールしている（特許文献１参照）。
【０００３】
【特許文献１】登録実用新案３０１８６７１号
【考案の開示】
【考案が解決しようとする課題】
【０００４】
ところで、給水管の先端とノズル孔の連通部分に設けるＯリングは小径のものであり、散水ヘッドが曲がった状態でノズル孔と給水管が接続されると、Ｏリングの当たりが悪くなって水漏れが発生しやすく、そうなると噴射性能に悪影響をもたらす。また、小径のＯリングを散水ヘッド側の面に当接させているだけであるから、そのＯリングの弾力性によって、散水ヘッドの回動動作の安定化を期待するのには無理がある。
【０００５】
本考案は、上記事情を考慮し、液体供給路の端末部と噴射ヘッドとの間で液体が漏れることを防止できる漏液防止機構及び該漏液防止機構を用いた液体噴射装置を提供することを目的とする。
【課題を解決するための手段】
【０００６】
請求項１に記載の漏液防止機構は、液体供給路の端末部に設けられる基台部を有し、前記基台部には、前記液体供給路の前記端末部を囲繞する第１漏液防止部と、前記第１漏液防止部を囲繞する第２漏液防止部とが設けられ、前記第１漏液防止部及び前記第２漏液防止部は、前記液体供給路の下流側に設けられて前記液体供給路から供給される液体を噴射する噴射ヘッドに当接可能な構成としたことを特徴とする。また、請求項２に記載の漏液防止機構は、請求項１に記載の考案において、前記第１漏液防止部及び／又は前記第２漏液防止部は、前記噴射ヘッドと当接する当接部が面一に構成されたことを特徴とする。また、請求項３に記載の漏液防止機構は、請求項１又は請求項２に記載の考案において、前記基台部は、前記液体供給路を形成する液体供給部材とは別体で構成したことを特徴とする。また、請求項４に記載の漏液防止機構は、請求項１乃至請求項３のうち、いずれか１に記載の考案において、前記第１漏液防止部は、前記液体供給路の前記端末部の外周に密接可能な構成としたことを特徴とする。また、請求項５に記載の漏液防止機構は、請求項１乃至請求項４のうち、いずれか１に記載の考案において、前記第１漏液防止部及び／又は前記第２漏液防止部は、前記基台部と別体で構成したことを特徴とする。また、請求項６に記載の漏液防止機構は、請求項１乃至請求項５のうち、いずれか１に記載の考案において、前記第１漏液防止部及び／又は前記第２漏液防止部は、略環状に設けられたことを特徴とする。また、請求項７に記載の漏液防止機構は、請求項１乃至請求項６のうち、いずれか１に記載の考案において、前記第１漏液防止部及び第２漏液防止部は、柔軟性を有する部材で構成したことを特徴とする。また、請求項８に記載の液体噴射装置は、少なくとも、液体供給路と、前記液体供給路の下流側に設けられて前記液体供給路から供給される液体を噴射する噴射ヘッドとを有し、前記液体供給路と前記噴射ヘッドとの間には、請求項１乃至請求項７のうちいずれか１に記載の漏液防止機構が設けられていることを特徴とする。また、請求項９に記載の液体噴射装置は、請求項８に記載の考案において、前記噴射ヘッドは、少なくとも第１の噴射方法及び第２の噴射方法とによって液体を噴射可能な第１噴射口及び第２噴射口を有して前記液体供給路の端末部に回動自在に設けられ、前記噴射ヘッドの前記漏液防止機構と対向する隔壁部には、前記第１噴射口及び前記第２噴射口に各々連通する第１連通口及び第２連通口が、前記噴射ヘッドの回動軸を中心とする略同一円周上に離隔配置され、前記噴射ヘッドの前記漏液防止機構に対する回動位置を切り換えることによって、前記液体供給路が前記第１連通口又は第２連通口に選択的に連通され、前記第１の噴射方法と前記第２の噴射方法とを切換可能に構成としたことを特徴とする。また、請求項１０に記載の液体噴射装置は、請求項９に記載の考案において、前記漏液防止機構の前記第１漏液防止部及び前記第２漏液防止部は、前記噴射ヘッドの前記隔壁部に当接可能な構成としたことを特徴とする。また、請求項１１に記載の液体噴射装置は、請求項９又は請求項１０に記載の考案において、前記漏液防止機構の前記第１漏液防止部は、前記第１連通口の周囲を囲繞可能な大きさに設定されたことを特徴とする。また、請求項１２に記載の液体噴射装置は、請求項９乃至請求項１１に記載のうち、いずれか１に記載の考案において、前記漏液防止機構の前記第２漏液防止部は、前記噴射ヘッドの前記隔壁部の外縁部に当接可能な大きさに設定されたことを特徴とする。
【考案の効果】
【０００７】
本考案によれば、漏液防止機構の基台部に第１漏液防止部と第２漏液防止部とが設けられ、第１漏液防止部と第２漏液防止部は噴射ヘッドに当接する構成としたので、噴射ヘッドがどのような回動位置にあるときも、外周側への水洩れを防止することができる。また、第２漏液防止部が、基台部と散水ヘッドの隔壁部との関係を適正に保つので、第１漏液防止部の当たりを適正化することができる。したがって、液体供給路から噴射ヘッドへの洩れのない確実な連通状態を確保することができる。また、面と面の関係が適正に出されることにより、噴射ヘッドの安定した回動操作が可能になり、無用なガタ付きを防止することができる。
【考案を実施するための最良の形態】
【０００８】
以下、本考案を液体噴射装置としての散水ガンに適用した実施形態について、図面を参照して説明する。なお、液体噴射装置としては、前記散水ガンのほか、スプリンクラー、噴霧器等も該当するものである。
【０００９】
図１は実施形態の散水ガンの分解斜視図、図２は散水ガンの側断面図、図３、図４はその作用説明に使用する側断面図、図５及び図６は散水ヘッドの拡大分解斜視図、図７は散水ヘッド部分の拡大側断面図、図８は散水ヘッドとシール板の関係の作用説明に使用する図、図９は給水管の先端の正面図である。
【００１０】
図１及び図２に示すように、本実施の形態による散水ガンは、略ピストル形をなすもので、ガン本体１と、その先端に取り付けられた噴射ヘッドとしての散水ヘッド２とからなる。ガン本体１は、手で握る部分であり縦方向に延びたグリップ部３と、その上部にて水平方向前方に延びた散水ヘッド取付部４とからなり、散水ヘッド取付部４の前端に散水ヘッド２が取り付けられている。
【００１１】
ガン本体１の外装ハウジング１０は、透明樹脂の成形品からなる半割構造体として構成されている。外装ハウジング１０を透明（スケルトン）にした場合、外から中が見えるので、組立や分解が容易であり、しかも、中の部品が破損した場合、破損箇所が容易に外から見付けられるなどの利点がある。
【００１２】
ガン本体１の内部には、液体供給路部材としての給水管２０及び水平管部２２が収容されている。ガン本体１の形状に沿って、水の流れる方向の途中に屈曲部を有している。給水管２０は、グリップ側給水管２０Ａとヘッド側給水管２０Ｂの２部品を継手２０Ｃで接続した組立品で構成されるが、これらは一体的に構成されるものであっても良い。給水管２０は、グリップ部３の内部にほぼ位置して縦管部２１をなし、水平管部２２は、散水ヘッド取付部４の内部にほぼ位置しており、縦管部２１と水平管部２２とによって屈曲部が形成され、水平管部２２の先端に散水ヘッド２が接続されている。
【００１３】
縦管部２１と水平管部２２とにより形成される屈曲部には流量調整室２３が設けられており、流量調整室２３の内部には、水平管部２２の後端開口から、流量調整機構７０を構成するキャップ形状の流量調整部材７１が挿入されている。流量調整部材７１は、取付ナット７２で水平管部２２の後端開口部に回動自在に取り付けられており、後端に連結されたツマミ７３を操作することにより、回動させることができる。流量調整部材７１の円筒周壁の一部には切欠７１ａが設けられており、ツマミ７３を操作して流量調整部材７１を回動させることにより、縦管部２１から水平管部２２に至る流路に対しての切欠７１ａの掛かり具合を調整でき、それにより流路を流れる流量を調整できるようになっている。本実施の形態においては、流量調節機構７０は、縦管部２１と水平管部２２とにより形成される屈曲部に設けたが、前記屈曲部以外に設けてもよい。流量調節機構７０は、液体供給路部材としての給水管２０又は水平管部２２内の流路（直線流路２８、３８等）を開閉する開閉機構としても機能するものである。
【００１４】
水平管部２２の内部の流路は、屈曲部（流量調整室２３）から下流端まで延びる直線流路２８で構成されており、直線流路２８の内壁の内壁には、直線流路２８の軸線方向に沿って流通する水流を整流するための整流部材としての整流リブ２８Ａが一体成形により設けられている。整流リブ２８Ａは、直線流路２８に沿う方向の長さが直線流路２８の長さの２０〜１００％に設定され（図示例は１００％の場合）、図９に示すように、断面の幅ｄが直線流路２８の幅又は直径の１０〜３０％に設定され、断面の高さｈが直線流路２８の高さ又は直径の３０〜７０％に設定されるのが好適である。
【００１５】
また、給水管２０の縦管部２１の長さ方向の中間部には、流路を開閉する開閉機構としての開閉バルブ３０が設けられている。開閉バルブ３０は、給水管２０の縦管部２１内の流路途中の段差部に設けられた弁座３１と、弁座３１に対応した弁体３２を先端に有して弁座３１より上流側の縦管部２１内にスライド自在に収容され且つ自身の内部空間を給水用の直線流路３７とする中空のバルブロッド３６と、によって構成されている。弁体３２の外周には弁座３１に密着するＯリング３３が嵌合され、バルブロッド３６の摺動部には縦管部２１の内周壁に密着するＯリング３４が設けられている。
【００１６】
そして、両シール３３、３４の間に位置させて、バルブロッド３６の先端部外周に、弁体３２が弁座３１から離れたときに、バルブロッド３６内の直線流路３７を通ってきた水を、縦管部２１の内周壁との隙間を通して弁座３１より下流側の流路に流すための連通窓３５が開けられている。また、バルブロッド３６は、バルブスプリング３９によって、弁体３２が弁座３１に密着する方向（バルブを閉じる方向）に付勢されている。従って、バルブロッド３６をバルブスプリング３９の力に抗して弁座３１から離れる方向にスライドさせることにより、開閉バルブ３０を開くことができる。
【００１７】
開閉バルブ３０を操作する手段として、給水管２０の外部に操作レバー１１と内部レバー１２とが配置され、バルブロッド３６の外周にバルブスプリング受けを兼ねた環状リブ３８が形成され、縦管部２１の周壁に、内部レバー１２の動作端をバルブロッド３６の環状リブ３８に届かせるための開口１３が形成されている。
【００１８】
操作レバー１１は外装ハウジング１０に揺動可能に取り付けられ、内部レバー１２は縦管部２１に揺動可能に取り付けられている。そして、操作レバー１１を強く握ることで、操作レバー１１の揺動動作により内部レバー１２を揺動させ、内部レバー１２の動作端でバルブロッド３６の環状リブ３８を下に押し下げ、それにより開閉バルブ３０を開くことができ、また、操作レバー１１を離すことで、バルブスプリング３９の復元力により、バルブロッド３６を閉位置に戻すと共に、内部レバー１２や操作レバー１１を初期の位置に戻すことができるようになっている。
【００１９】
縦管部２１の上流側の端末部（グリップ部３の下端側）には、端末部材５０が取り付けられている。端末部材５０は、縦管部２１の下端に直接固定されたナット形状の連結ブラケット５１と、連結ブラケット５１の内部にパッキン５８を介して挿入された、シール用および後述するピストン体６１の上限ストッパ機能を兼ねたスリーブ５２と、連結ブラケット５１の開口端にパッキン５５を介してネジ結合され、下端に給水ホース接続部５９を有する給水ホース継手部材５３とから構成されている。
【００２０】
給水ホース継手部材５３には、縦管部２１内の流路、即ちこの場合はバルブロッド３６内の直線流路３７に連通する貫通した流通路５６が形成されており、その流通路５６の上半部が、直線流路３７よりも大径の膨張吸収室５４となっている。そして、膨張吸収室５４の内部に、膨張吸収機構６０を構成するピストン体６１の大径部がＯリング６３を介してスライド自在に収容されている。膨張吸収機構６０は、給水管２０内の流路のうち、開閉バルブ３０より上流側の流路（特にバルブロッド３６内の直線流路３７）内に残留した水が凍結する際の体積の膨張を吸収するためのものである。
【００２１】
ピストン体６１は、大径部の首下に細径のロッド部を有すると共に軸線方向の全長を貫通する貫通流路６２を有するものであり、細径のロッド部を、流通路５６の細径の下半部に、Ｏリング６４を介してスライド自在に挿入している。そして、流通路５６の上半部と下半部の境界にある段差部と、ピストン体６１の大径部の背面との間に介装した弾性部材としての膨張吸収バネ６５により、ピストン体６１がスリーブ５２の下端に当たる位置（初期位置）まで上向きに付勢されている。この構成により、ピストン体６１の大径部の受圧部６１ａは、バルブロッド３６内の直線流路３７に対して垂直な姿勢で向き合っている。従って、受圧部６１ａに膨張圧が作用してピストン体６１が下方へスライドしたときに、ピストン体６１を介して膨張吸収バネ６５が膨張圧を吸収する。なお、本実施の形態では、ピストン体６１の受圧部６１ａは、面状に構成されたものであるが、前記膨張圧を受けることができる構成であればよく、特に面状に限定されるものではない。また、本実施の形態液体吸収機構６０は、開閉バルブ３０よりも上流側に設けられているが、下流側に設けられていても良い。
【００２２】
次に、噴射ヘッドとしての散水ヘッド２の構成について説明する。給水管２０（直線流路２８）の先端には、ヘッド本体１００と、その前面に配された噴射部としてのシャワー板１２０とを有し、給水管２０の先端部に対する回動位置を切り換えることで噴射方法を切り換えることの可能な散水ヘッド２が回動自在に取り付けられており、ヘッド本体１００の外周にシャワー板１２０を保護するためのカバー部材としてのカバーリング１１０が装着されている。
【００２３】
図５、図６を併せて参照することにより詳細に述べると、給水管２０の水平管部２２の先端には、自身の中心から偏心した位置に水平管部２２内の直線流路２８に連通する吐水口８３を有した漏液防止機構としてのシール板８０が略垂直に連結され、シール板８０の前側に、シール板８０の中心と同心の軸を中心に回動可能に支持され且つシール板８０に対する回動位置を切り換えることで噴射方法を切り換え可能な散水ヘッド２が配置されている。
【００２４】
散水ヘッド２は、ヘッド本体１００と、シャワー板１２０と、カバーリング１１０とから構成されている。なお、本実施の形態においてはいずれも別体で構成されたものを説明するが、いずれか又は総てが一体的に構成されているものであってもよい。ヘッド本体１００は、円筒状の周壁１０１の後端を隔壁部１０２で塞いだ略カップ状のもので、隔壁部１０２の前面中心に、周壁１０１と略平行なネジ孔１０８ａ付きの取付ボス１０８を設け、それを中心とする同一円周上に、相互に間隔を開けて、ストレート噴射ノズル１０４、拡散噴射ノズル１０５、シャワー噴射ノズル１０６を配置されている。なお、噴射方法については、ストレート、拡散、シャワー以外にも適宜採択可能である。
【００２５】
ストレート噴射ノズル１０４および拡散噴射ノズル１０５は、貫通したノズル孔１０４ａ、１０５ａを有するロッド状のもので、取付ボス１０８と平行に設けられ、周壁１０１よりも突出する位置まで延びている。拡散噴射ノズル１０６の先端には、ノズル孔１０６ａを横切るクロス溝１０５ｂが設けられ、それにより、水流を拡散させて噴射可能となっている。
【００２６】
また、シャワー噴射ノズル１０６は、先端が突当壁１０６ａで塞がれ周壁部に複数の開口１０６ｂが形成された短筒状のもので、ヘッド本体１００内部の緩衝空間１０９に連通している。
【００２７】
また、ヘッド本体１００の後端には、隔壁部１０２との間に僅かな隙間を開けて嵌合フランジ１０３が設けられている。ヘッド本体１００を含む散水ヘッド２は、嵌合フランジ１０３を外装ハウジング１０の先端内周の環状溝に嵌めることで、ガン本体１に回転可能に取り付けられている。また、ヘッド本体１００の周壁１０１の外周には、各ノズル１０４、１０５、１０６の位置に対応させて、僅かな高さで突出する被係合部としての係合凸部１０７が設けられている。
【００２８】
ヘッド本体１００の隔壁部１０２の背面と対向するシール板８０は、略円板状のもので、図５に示すように、基台部としての前面壁８１を有し、前面壁８１の外周縁部に位置させて形成された大径の環状凸部８１ａと、吐水口８３の周縁に位置させて形成された小径の環状凸部８１ｂとが設けられている。これらの大径の環状凸部８１ａ及び小径の環状凸部８１ｂに形成された各溝には、それぞれ第２漏液防止部としての大径のＯリング８２と、第１漏液防止部としての小径のＯリング８４が嵌め込まれている。なお、本実施の形態においては、大径のＯリング８２及び小径のＯリング８４は、前面壁８１と別体で構成しているが、一体に構成してもよく、大径のＯリング８２及び小径のＯリング８４は、ゴムその他の柔軟性を有する部材で形成されるのが好適である。
【００２９】
これらのＯリング８２、８４は、散水ヘッド２の背面壁（ヘッド本体１００の隔壁部１０２）とシール板８０の前面壁８１との間をシールするものであり、大径Ｏリング８２は、ノズル１０４、１０５、１０６が配置された位置よりも外周側で散水ヘッド２の回動軸（取付ボス１０８）を中心とする円周上に位置している。また小径Ｏリング８４は、大径Ｏリング８２の内側の領域に位置しており、吐水口８３の周囲を取り囲むように位置している。
【００３０】
また、シール板８０の背面壁８５には、吐水口８３の周縁に位置させて環状凸部８６が形成され、環状凸部８６の周方向の１カ所には位置決め用の切欠８６ａが設けられている。一方、給水管２０の水平管部２２の先端部外周には、シール板８０の環状凸部８６の内周に嵌合する環状鍔２６が設けられると共に、環状鍔２６の周方向の１カ所には、環状凸部８６の切欠８６ａに嵌まる突起２６ａが設けられている。そして、切欠８６ａと突起２６ａを合わせて環状鍔２６を環状凸部８６に嵌合し、水平管部２２の先端を吐水口８３の内部に挿入することで、給水管２０の水平管部２２の先端にシール板８０が回転不能に取り付けられている。
【００３１】
このように組み合わせることで、ヘッド本体１００側のノズル１０６および連通口としてのノズル孔１０４ａ、１０５ａとシール板８０の吐水口８３とが、散水ヘッド２の回転位置に応じて選択的に連通し、それにより所定の噴射方法で水流を噴射できるようになっている。
【００３２】
カバーリング１１０は、柔軟性を有する樹脂による筒状成形体として構成されるのが好適であり、材質例としては、ＥＶＡ（エチレン酢酸共重合体）、熱可塑性エラストマー、軟質ポリエチレン、軟質塩化ビニルなどを挙げることができる。
【００３３】
カバーリング１１０は、円筒状の周壁部１１１と、その前端内周に延設された係止部としての環状の嵌合壁１１２とを有するもので、嵌合壁１１２の内側に、ヘッド本体１００の周壁１０１の先端の嵌まる嵌合溝１１２ａが形成されている。また、周壁部１１１には、ヘッド本体１００側の係合凸部１０７の嵌まる係合部としての円形の係合孔（切欠口）１１３が設けられている。なお、本実施の形態においては、係合孔１１３は、カバーリング１１０を貫通した切欠口としているが、カバーリング１１０の前記係合部からヘッド本体１００が視認可能であれば良く、例えば、前記係合部のみが透明部材で構成されて閉塞され、前記のような切欠かれていない構成であってもよい。
【００３４】
カバーリング１１０は、その周壁１１１に形成した係合孔１１３と、ヘッド本体１００に形成した係合凸部１０７とを互いに係合させた状態で、自身の周壁部１１１をヘッド本体１００の周壁１０１の外周に嵌合することにより、ヘッド本体１００に固定されている。
【００３５】
また、シャワー板１２０は、その外周を、カバーリング１１０の嵌合壁１１２の内周に嵌合することで、ヘッド本体１００に固定されている。シャワー板１２０は、シャワー散水用の細孔列１２５を有する緩やかな凸曲面状の面板１２１と、面板１２１の外周部に連設された短筒部１２２と、面板１２１の外周縁の延長上に設けられた外周鍔部１２３とを有しており、外周鍔部１２３を嵌合壁１１２の前面に当てながら、短筒部１２２をカバーリング１１０の嵌合壁１１２の内周に嵌合することにより、カバーリング１１０に固定され、またカバーリング１１０を介してヘッド本体１００に固定されている。
【００３６】
また、カバーリング１１０の中心には、ネジ通し孔１２６ａ付きの取付ボス１２６が設けられており、取付ボス１２６のネジ通し孔１２６ａに通した取付ネジ１５０の先端を、ヘッド本体１００の中心に突設した取付ボス１０８のネジ孔１０８ａに締結することによって、ヘッド本体１００に直接固定されている。
【００３７】
このようにシャワー板１２０をヘッド本体１００に固定することにより、ヘッド本体１００のストレート噴射ノズル１０４の先端が、シャワー板１２０の面板１２１に形成した噴射口としての露出孔１２７から前面に露出する。同様に、ヘッド本体１００の拡散噴射ノズル１０５の先端が、シャワー板１２０の面板１２１に形成した噴射口としての露出孔１２８から前面に露出している。
【００３８】
また、カバーリング１１０とヘッド本体１００の組み合わせによって、係合凸部１０７と係合孔１１３の係合部分が、各噴射方法をそれぞれ実現するための目印となっており、係合凸部１０７に各噴射方法を識別するための識別標識（例えば文字・図形など）を設けて、給水管２０の水平管部２２の上面に突設されることで外装ハウジング１０から露出させられた基準マーク部２９に、前記識別標識が合うように散水ヘッド２を回動させることにより、ストレート噴射モード、拡散噴射モード、シャワー噴射モードを選択的に切り替えることができるようになっている。なお、カバーリング１１０とヘッド本体１００は、その成形材料が対比の明確な色違いになっていることで、カバーリング１１０上に露出する係合凸部１０３が、視覚的に目立つようになっている。
【００３９】
次に作用を説明する。本実施の形態による散水ガンを使用するには、図示しない給水ホースを給水ホース継手部材５３の給水ホース接続部５９に接続し、その状態で操作レバー１１を強く握る。そうすると、図３に示すように、操作レバー１１が揺動することにより内部レバー１２が揺動し、内部レバー１２の動作端に押されて環状リブ３８が下に動くことで、バルブロッド３６が下方にスライドする。そして、弁体３２が弁座３１から離れることで、開閉バルブ３０が開き、給水ホースから供給された水が開閉バルブ３０を通って散水ヘッド２に供給される。
【００４０】
散水ヘッド２は、その回転位置により散水モードを選択することにより、所定の散水モードで前方に水を噴射する。例えば、ストレート噴射モードを選択した場合は、ストレート噴射ノズル１０４が水平管路２２の直線流路２８と接続されることで、ストレート噴射ノズル１０４を通して水が噴射される。また、拡散噴射モードを選択した場合は、拡散噴射ノズル１０５が水平管路２２の直線流路２８と接続されることで、拡散噴射ノズル１０５を通して水が噴射される。また、シャワー噴射モードを選択した場合は、シャワー噴射ノズル１０６が水平管路２２の直線流路２８と接続されることで、シャワー噴射ノズル１０６から緩衝空間１０９に水が導入され、そこからシャワー板１２０の細孔例１２５を通してシャワー状に噴射される。
【００４１】
使用後は、操作レバー１１を握った手を離すことで、バルブスプリング３９の復元力により、バルブロッド３６が閉位置に戻り、同時に内部レバー１２および操作レバー１１が初期の位置に戻り、図２に示すように、開閉バルブ３０が閉じる。
【００４２】
また、本実施の形態による散水ガンには、凍結時の膨張を吸収する機能が備わっており、特に寒冷地において給水管２０の破損防止効果を発揮することができる。例えば、散水ガンの開閉バルブ３０を閉じた場合、給水管２０内の開閉バルブ３０の手前（上流側）に残留した水は、散水ガンを振っても、開閉バルブ３０が閉じている限り抜けない。そのため、残留した水が凍結した場合は、凍結に伴う体積の膨張により、給水管２０が破損するおそれがある。
【００４３】
ところが、この散水ガンには、給水管２０内の流路の開閉バルブ３０より上流側に、残留した水が凍結する際の体積の膨張を吸収する膨張吸収機構６０を備わっているので、膨張吸収機構６０によって残留水の凍結膨張を吸収することができて、給水管２０の破損を防ぐことができる。
【００４４】
具体的には、バルブロッド３６内の直線流路３７に溜まった水が凍ると、膨張圧は直線流路３７の軸線方向に作用し、給水管２０の端末部の膨張吸収機構６０の受圧部６１ａにスムーズに届く。従って、膨張吸収機構６０は、受圧部６１ａに作用する膨張圧を確実に吸収することができて、給水管２０の破損を防止することができる。特に、直線流路３７の上流側の端末部には、直線流路３７よりも大径の膨張吸収室５４が設けられているので、残留水の凍結による膨張圧を、膨張吸収室５４内に収容したピストン体６１で確実に受けることができ、図４に示すように、ピストン体６１が膨張圧によって動くことにより、その背部の膨張吸収バネ６５により膨張の圧力を吸収することができる。
【００４５】
凍結時には、外気の影響を受けやすい細い部分（直線流路３７）から凍り始めて、凍結が徐々に端末側に進んで、膨張吸収室５４内に及ぶことになる。そのため、凍結による膨張圧が、直線流路３７から膨張吸収室５４内のピストン体６１の受圧部に有効に作用することになり、それによって膨張が確実に吸収され、給水管２０の破損防止効果を発揮することができる。
【００４６】
また、この散水ガンには、噴射するまでの流路内に発生する渦流を防止する機能が備わっている。即ち、屈曲部（流量調整室２３）から水平管路２２の下流端までが直線流路２８で構成されており、その直線流路２８の内壁に、流通する水流を整流するための整流リブ２８Ａが設けられているので、渦の発生を防止して、直線流を作り出すことができる。特に流れの乱れを生じやすい屈曲部の下流部分に整流リブ２８Ａがあるので、有効に渦流の発生を防ぐことができる。従って、噴射する水流に偏りや曲がり等が生じるのを防ぐことができ、安定的で均一な噴射状態を得ることができる。
【００４７】
また、整流リブ２８Ａは、直線流路２８を形成する水平管路２２の内壁に一体に成形してあるので、組立の面倒がなく、コストアップを防ぐことができる。さらに、整流リブ２８Ａは直線流路２８の内壁に突設したものであるから、整流リブ２８Ａの断面寸法（幅ｄ及び突出高さｈ）を、通水抵抗が少なく且つ渦流を有効に防げる最適な値に設定することができる。また、整流リブ２８Ａは、屈曲部の外周側の内壁に突設してあるので、通水抵抗を少なくしながら、最大限の渦流防止効果を発揮することができる。
【００４８】
また、この散水ガンでは、柔軟性を有するカバーリング１１０をヘッド本体１００に嵌合固定し、カバーリング１１０にシャワー板１２０の外周を嵌合固定しているので、カバーリング１１０自体にパッキンの働きをさせることができる。従って、パッキンが不要でありながら、シャワー板１２０の外周側への水洩れ防止作用を得ることができる。
【００４９】
また、樹脂成形品で構成した場合に強度的な弱点となりやすいパッキン取付部が不要になるから、強度の向上を図ることができる。また、カバーリング１１０の柔軟性によって衝撃吸収作用も得られることから、耐久性の向上も図れる。また、従来例のようにシャワー板１２０を固定するためのリングナットや余計なパッキンが不要であるから、部品点数を減らすことができ、その分だけ、構造が簡単になって、コストダウンとコンパクト化が図れる。また、シャワー板１２０やカバーリング１１０の固定にネジ止めが不要であるから、組立・分解が容易であり、メンテナンス性の向上も図れる。
【００５０】
また、この散水ガンでは、カバーリング１１０側の係合孔１１３とヘッド本体１００側の係合凸部１０７の係合によりカバーリング１１０の抜け止めを行っており、しかも同時に、係合孔１１３と係合凸部１０７の組み合わせを、噴射方法を選択する場合の目印として利用しているので、印刷などにより専用の合わせマークをあえて設けなくてよくなり、コスト減に寄与することができる。また、係合凸部１０７に識別標識を印刷や貼付等の方法によって設けた場合、係合孔１１３と係合凸部１０７の形状的な組み合わせを用いることから、カバーリング１１に直接印刷又は貼付等の方法によって識別標識を設けた場合に比して、前記識別標識が劣化しにくい。
【００５１】
また、この散水ガンでは、シール板８０の吐水口８３の周囲に設けた小径のＯリング８４の外側に、更に大径のＯリング８２を設け、そのＯリング８２でノズル１０６やノズル孔１０４、１０５の外周側の領域をシールしたので、散水ヘッド２がどのような回動位置にあるときも、外周側への水洩れを防止することができる。
【００５２】
例えば、図８（ａ）に示すようにシャワー噴射ノズル１０６とシール板８０の吐水口８３が適正に合致している場合は問題ないが、（ｂ）に示すように位置がずれた中間位置にあるときには、吐水口８３からの水が小径のＯリング８４を越えてシール板８０と散水ヘッド２の背面との隙間に漏れ出るが、大径のＯリング８２があることにより、シール板８０の外周位置で洩れを防ぐことができる。
【００５３】
また、大径のＯリング８２が、シール板８０の前面壁８１と散水ヘッド２の背面壁（ヘッド本体１００の隔壁１０２の背面）との関係を適正に保つので、小径のＯリング８４の当たりを適正化することができる。つまり、大きな径のＯリング８２によってシール板８０側の面と散水ヘッド２側の面の関係を適正に出すことができるので、小径のＯリング８４の散水ヘッド２への当たりを適正化することができ、吐水口８３とノズル１０４、１０５、１０６との間に洩れのない確実な連通状態を確保することができる。また、面と面の関係が適正に出されることにより、散水ヘッド２の安定した回動操作が可能になり、無用なガタ付きを防止することもできる。
【００５４】
なお、上記実施形態では、１つの整流リブ２８Ａを設けた場合を示したが、図１０に示すようには、適当な角度間隔で複数の整流リブ２８Ｂを設けてもよい。
【図面の簡単な説明】
【００５５】
【図１】本考案の実施形態の散水ガンの分解斜視図である。
【図２】同散水ガンの側断面図である。
【図３】同散水ガンの水噴射の際の開閉バルブの状態を示す側断面図である。
【図４】同散水ガンの凍結時の作用説明のための側断面図である。
【図５】同散水ガンにおける散水ヘッドの拡大分解斜視図である。
【図６】同散水ヘッドの別の方向から見た拡大分解斜視図である。
【図７】同散水ヘッド部分の拡大側断面図である。
【図８】同散水ヘッドとシール板の関係の作用説明に使用する図で、（ａ）は適正な位置合わせ状態、（ｂ）は途中の状態を示す図である。
【図９】同散水ガンにおける給水管の先端の正面図である。
【図１０】別の実施形態における給水管の先端の正面図である。
【符号の説明】
【００５６】
１    ガン本体
２    散水ヘッド（噴射ヘッド）
２０    給水管（液体供給部材）
２２    水平管部（液体供給部材）
２３    流量調整室（屈曲部）
２８    直線流路（液体供給路）
２８Ａ，２８Ｂ  整流リブ（整流部材）
３０    開閉バルブ（開閉機構）
３１    弁座
３２    弁体
３６    バルブロッド
３７    直線流路（液体供給路）
５０    端末部材
５３    給水ホース継手部材
５４    膨張吸収室
５９    給水ホース接続部
６０    膨張吸収機構
６１    ピストン体
６１ａ  受圧部
６２    貫通流路
６５    膨張吸収バネ（弾性部材）
７１    流量調整部材（開閉機構）
８０    シール板（漏液防止機構）
８１    前面壁（基台部）
８３    吐水口
８２    大径のＯリング（第２漏液防止部）
８４    小径のＯリング（第１漏液防止部）
１００    ヘッド本体
１０１    周壁
１０２    隔壁部
１０４    ストレート噴射ノズル
１０４ａ  ノズル孔（第１連通口）
１０５    拡散噴射ノズル
１０５ａ  ノズル孔（第２連通口）
１０６    シャワー噴射ノズル（ノズル孔）（第２連通口）
１０７    係合凸部（被係合部）
１１０    カバーリング（カバー部材）
１１１    周壁部
１１２    嵌合壁（係止部、突条壁）
１１２ａ  嵌合溝
１１３    係合孔（切欠口）（係合部）
１２０    シャワー板（噴射部）
１２１    面板
１２５    細孔例（噴射口、第１噴射口）
１２７，１２８    露出孔（噴射口、第２噴射口）
【図１】
0003115073.tif 000003
【図２】
0003115073.tif 000004
【図３】
0003115073.tif 000005
【図４】
0003115073.tif 000006
【図５】
0003115073.tif 000007
【図６】
0003115073.tif 000008
【図７】
0003115073.tif 000009
【図８】
0003115073.tif 000010
【図９】
0003115073.tif 000011
【図１０】
0003115073.tif 000012